(57)【特許請求の範囲】
【請求項１】
一方の面が吸音面であり他方の面が遮音面であるパネル本体部と、当該パネル本体部の縦方向の両側辺部に設けられ、当該縦方向に沿って貫通するワイヤ挿入孔を有するワイヤ挿入枠部と、から少なくとも構成されている吸音パネルと、前記ワイヤ挿入孔内のワイヤを固定可能とするように、前記ワイヤ挿入枠部に取り付けられるワイヤアンカー部材と、前記吸音パネルおよび前記ワイヤアンカー部材と、縦方向に隣接する前記吸音パネルの前記ワイヤ挿入枠部同士の間に挿入することで、前記吸音パネルの間に装着される、平板状のパネル支持板部材と、を備えており、当該パネル支持板部材は、前記装着された状態で当該吸音パネルの間に位置し、前記ワイヤを挿入可能とする切り込み部を有するパネル間介在部と、前記装着された状態で当該吸音パネルの間から露出するパネル露出部と、に少なくとも区分されており、上方から吊り下げられた前記ワイヤを前記ワイヤ挿入孔に挿入した状態で、当該ワイヤを前記ワイヤアンカー部材で固定することにより、複数枚の前記吸音パネルを少なくとも縦方向に連続して配列可能とすることを特徴とする、吸音パネルセット。
【請求項２】
前記パネル本体部が、表面より音を吸収して透過させる音吸収板と、音波を干渉させて減衰させる音波干渉空気層と、音波を反射させる反射板と、を吸音面側から遮音面側に向け３層構造に配設し、これらを型枠で保持するとともに、この型枠に対して前記音吸収板を表面側に向けて進退動自由に付勢支持した構成であることを特徴とする、請求項１に記載の吸音パネルセット。
【請求項３】
前記装着された状態で横方向に隣接する一対の前記パネル支持板部材を互いに接続することによって、横方向に隣接する前記吸音パネルを連結する、平板状のパネル連結板部材を、さらに備えていることを特徴とする、請求項１または２に記載の吸音パネルセット。
【請求項４】
前記パネル連結板部材は、横方向に隣接するパネル支持板部材の間であり、かつ、縦方向に隣接する前記吸音パネルの間となる位置に単独で挿入されることで、当該吸音パネルの間に装着されるとともに、当該装着された状態で当該吸音パネルの間に位置し、前記ワイヤを挿入可能とする切り込み部を有するパネル間介在部と、前記装着された状態で当該吸音パネルの間から露出する部位であるパネル露出部と、に少なくとも区分されていることを特徴とする、請求項３に記載の吸音パネルセット。
【請求項５】
前記切り込み部は、Ｕ字状に形成されていることを特徴とする、請求項１ないし４のいずれか１項に記載の吸音パネルセット。
【請求項６】
前記パネル連結板部材は、横方向に隣接するパネル支持板部材の間であり、かつ、縦方向に隣接する前記吸音パネルの間となる位置に、当該吸音パネルの両面からそれぞれ挿入されることで、２枚が互いに対向した状態で当該吸音パネルの間に装着されるとともに、当該装着された状態で当該吸音パネルの間に位置し、前記ワイヤを挿入可能とする半円切り込み部を有するパネル間介在部と、前記装着された状態で当該吸音パネルの間から露出する部位であるパネル露出部と、に少なくとも区分されていることを特徴とする、請求項３に記載の吸音パネルセット。
【請求項７】
前記パネル連結板部材の前記パネル露出部の外側となる辺は、前記パネル支持板部材を重ねる面に向かって折れ曲がって構成される支持板ストッパー部となっていることを特徴とする、請求項４または６に記載の吸音パネルセット。
【請求項８】
前記パネル本体部の代わりに少なくとも透光性材料で構成されている透光板部が設けられている透光パネルを、さらに備えていることを特徴とする、請求項１ないし７のいずれか１項に記載の吸音パネルセット。
【発明の詳細な説明】
【技術分野】
【０００１】
本発明は、防音間仕切り、防音壁等に用いられる吸音パネルを含む吸音パネルセットに関する。
【背景技術】
【０００２】
特許文献１には、表面より音を吸収して透過させる音吸収板（吸音材）と、音波を干渉させて減衰させる音波干渉空気層（吸音層）と、音波を反射させる反射板（遮音材）とを、表面（吸音面）側から裏面（遮音面）側に向け３層構造に配設し、型枠で保持した構成の吸音パネルが開示されている。
この吸音パネルは、音吸収板を表面側に向けて進退動自在に付勢支持しているため、音波による音吸収板の振動が円滑となるので、音吸収板により音波を十分に吸収することができる。さらに、音波干渉空気層では、入射する音波と反射板から反射される音波を干渉、減衰作用によって吸音することができる。それゆえ、表面側の音波の反射、あるいは裏面側からの反響音を良好に抑制することができ、優れた吸音性能を実現することができる。
さらに、この吸音パネルは、前記３層構造を型枠で保持したパネルであるため、設置が容易である。それゆえ、一般的な工場の騒音対策、大規模設備用の大型防音壁、小型設備用の小規模な防音壁、工事現場等で用いられる簡易騒音対策等といったさまざまな用途に好適に用いることができる。
【先行技術文献】
【特許文献】
【０００３】
【特許文献１】特許３５２２５８３号公報
【発明の概要】
【発明が解決しようとする課題】
【０００４】
ここで近年では、騒音対策に要求されるレベルが高くなっており、また、コストの軽減の要求も強くなっている。それゆえ、従来では容易に設置し難かった箇所に前記吸音パネルを設置したり前記吸音パネルをより簡素な手法で設置したりする必要性が生じつつある。
本発明はこのような課題を解決するためになされたものであって、吸音パネルの設置を従来よりもさらに容易とする技術を提供することを目的とする。
【課題を解決するための手段】
【０００５】
本発明に係る吸音パネルセットは、前記の課題を解決するために、一方の面が吸音面であり他方の面が遮音面であるパネル本体部と、当該パネル本体部の縦方向の両側辺部に設けられ、当該縦方向に沿って貫通するワイヤ挿入孔を有するワイヤ挿入枠部と、から少なくとも構成されている吸音パネルと、前記ワイヤ挿入孔内のワイヤを固定可能とするように、前記ワイヤ挿入枠部に取り付けられるワイヤアンカー部材と、を備えており、上方から吊り下げられた前記ワイヤを前記ワイヤ挿入孔に挿入した状態で、当該ワイヤを前記ワイヤアンカー部材で固定することにより、複数枚の前記吸音パネルを少なくとも縦方向に連続して配列可能とする構成である。
前記構成によれば、複数枚の吸音パネルを上方から吊り下げるだけで一面に配設することができる。それゆえ、吸音パネルを壁面に固定したり、吸音パネルを据え付けるための骨格構造を設置したりする必要がなく、吸音パネルの設置を従来よりもさらに容易とすることができる。
前記吸音パネルセットにおいては、前記パネル本体部が、表面より音を吸収して透過させる音吸収板と、音波を干渉させて減衰させる音波干渉空気層と、音波を反射させる反射板と、を吸音面側から遮音面側に向け３層構造に配設し、これらを型枠で保持するとともに、この型枠に対して前記音吸収板を表面側に向けて進退動自由に付勢支持した構成であってもよい。
また、前記吸音パネルセットは、前記吸音パネルおよび前記ワイヤアンカー部材と、縦方向に隣接する前記吸音パネルの前記ワイヤ挿入枠部同士の間に挿入することで、前記吸音パネルの間に装着される、平板状のパネル支持板部材と、を備え、当該パネル支持板部材は、前記装着された状態で当該吸音パネルの間に位置し、前記ワイヤを挿入可能とするＵ字状切り込み部を有するパネル間介在部と、前記装着された状態で当該吸音パネルの間から露出するパネル露出部と、に少なくとも区分されている構成であってもよい。
前記構成によれば、複数の吸音パネルを配列させた後、縦方向に隣接する吸音パネルの間にパネル支持板部材を挿入して装着することがきるので、パネル露出部に支持部材等を取り付ければ、連結部位の振れ等を有効に抑制することができる。それゆえ、設置状態に応じて吸音パネルの連結部位を適宜支持することができるため、設置の容易性だけでなく設置後の吸音パネルの拡張性を向上することができる。
また、前記吸音パネルセットにおいては、前記装着された状態で横方向に隣接する一対の前記パネル支持板部材を互いに接続することによって、横方向に隣接する前記吸音パネルを連結する、平板状のパネル連結板部材を、さらに備えている構成であってもよい。
前記構成によれば、複数の吸音パネルを配列させた後、縦方向に隣接する吸音パネルの間に前記パネル支持板部材を挿入し、さらに一対のパネル支持板部材をパネル連結板部材で接続することになる。それゆえ、横方向に隣接する吸音パネル同士を、パネル支持板部材およびパネル連結板部材で連結することができるとともに、パネル連結板部材の取付孔に他の支持部材を取り付けることで、縦横に隣接する４枚の吸音パネルの連結部位を支持して、連結部位の振れ等をより一層有効に抑制することができる。それゆえ、設置後の吸音パネルの拡張性をより一層向上することができる。
また、前記吸音パネルセットにおいては、前記パネル連結板部材は、横方向に隣接するパネル支持板部材の間であり、かつ、縦方向に隣接する前記吸音パネルの間となる位置に単独で挿入されることで、当該吸音パネルの間に装着されるとともに、当該装着された状態で当該吸音パネルの間に位置し、前記ワイヤを挿入可能とするＵ字状切り込み部を有するパネル間介在部と、前記装着された状態で当該吸音パネルの間から露出する部位であるパネル露出部と、に少なくとも区分されている構成であってもよい。
また、前記吸音パネルセットにおいては、前記パネル連結板部材は、横方向に隣接するパネル支持板部材の間であり、かつ、縦方向に隣接する前記吸音パネルの間となる位置に、当該吸音パネルの両面からそれぞれ挿入されることで、２枚が互いに対向した状態で当該吸音パネルの間に装着されるとともに、当該装着された状態で当該吸音パネルの間に位置し、前記ワイヤを挿入可能とする半円切り込み部を有するパネル間介在部と、前記装着された状態で当該吸音パネルの間から露出する部位であるパネル露出部と、に少なくとも区分されている構成であってもよい。
また、前記吸音パネルセットにおいては、前記パネル連結板部材の前記パネル露出部の外側となる辺は、前記パネル支持板部材を重ねる面に向かって折れ曲がって構成される支持板ストッパー部となっている構成であってもよい。
また、前記吸音パネルセットにおいては、前記パネル本体部の代わりに少なくとも透光性材料で構成されている透光板部が設けられている透光パネルを、さらに備えている構成であってもよい。
【発明の効果】
【０００６】
以上のように、本発明では、吸音パネルの設置を従来よりもさらに容易にできる、という効果を奏する。
【図面の簡単な説明】
【０００７】
【図１】本発明の実施の形態１に係る吸音パネルセットの構成の一例を示す模式図である。
【図２】（ａ）は、図１に示す吸音パネルセットに用いられる吸音パネルの構成の一例を示す縦断面図であり、（ｂ）は、（ａ）に示す吸音パネルの横断面図である。
【図３】本発明の実施の形態２に係る吸音パネルセットの構成の一例を示す模式図である。
【図４】（ａ）は、図３に示す吸音パネルセットに用いられる吸音パネルの構成の一例を示す縦断面図であり、（ｂ）は、（ａ）に示す吸音パネルの横断面図である。
【図５】（ａ）〜（ｃ）は、本発明の実施の形態３に係る吸音パネルセットの構成の一例を示す模式図である。
【発明を実施するための形態】
【０００８】
以下、本発明の好ましい実施の形態を、図面を参照しながら説明する。なお、以下では全ての図を通じて同一又は相当する要素には同一の参照符号を付して、その重複する説明を省略する。
【０００９】
（実施の形態１）
本発明の実施の形態１に係る吸音パネルおよび吸音パネルセットの一例について、図１および図２（ａ），（ｂ）を参照して具体的に説明する。
図１に示すように、本発明に係る吸音パネル２０Ａは、その両側辺を上方から吊り下げられた一対の支持ワイヤ１１に固定することにより、少なくとも縦方向に連続して配列可能となっている。ここで、縦方向に隣接する吸音パネル２０Ａの連結部位には、図２（ａ），（ｂ）に示すように、パネル支持板部材３１が挿入されている。また、図１に示すように、複数枚の吸音パネル２０Ａは、縦方向だけでなく横方向にも配列可能であり、図２（ｂ）に示すように、横方向に隣接する吸音パネル２０Ａは、パネル支持板部材３１およびパネル連結板部材３２により連結固定されている。
なお、図１の中央の平面図では、吸音パネル２０Ａの設置の一例として、縦横３枚ずつ合計９枚のパネルから構成される「防音壁５０」を図示している。この防音壁５０においては、周囲の８枚のパネルは吸音パネル２０Ａであり、中央部の１枚は吸音パネル２０Ａではなく透光パネル４０に差し替えられている。また、図１における向かって左側の図が平面図に対応する縦断面図であり、図１における上側の図が平面図に対応する横断面図である。さらに、図２（ａ）は、縦方向に隣接する吸音パネル２０Ａの連結部位の拡大縦断面図に相当し、図２（ｂ）は、横方向に隣接する吸音パネルの連結部位の拡大横断面図に相当する。
【００１０】
［吸音パネルの構成］
まず、吸音パネル２０Ａの具体的構成について説明する。吸音パネル２０Ａは、図２（ａ），（ｂ）に示すように、パネル本体部２１Ａとワイヤ挿入枠部２２とを備えており、さらに、ワイヤアンカー部材２３が取り付けられている。このうちパネル本体部２１Ａは、一方の面が吸音面２１ａであり他方の面が遮音面２１ｂとなっている。そして、本実施の形態では、パネル本体部２１Ａは、表面より音を吸収して透過させる音吸収板２１１と、音波を干渉させて減衰させる音波干渉空気層２１２と、音波を反射させる反射板２１３と、これらを保持する型枠２１４とから少なくとも構成されている。
パネル本体部２１Ａは、音吸収板２１１、音波干渉空気層２１２および反射板２１３をこの順で吸音面２１ａ側から遮音面２１ｂ側に向け３層構造に配設することにより構成されており、これら３層構造は両端で型枠２１４により保持されている。さらに、音吸収板２１１は、型枠２１４に対して表面（吸音面２１ａ）側に向けて進退動自由に付勢支持されている。
音吸収板２１１、音波干渉空気層２１２、反射板２１３および型枠２１４の具体的な構成は、いずれも特に限定されない。それぞれ代表的な一例を挙げると、音吸収板２１１としては、例えば、板状の金属繊維群の両面に一対のアルミニウム製の網目状金属プレートを重ね合わせ、これらを一体化して形成した構成を挙げることができる。また、音波干渉空気層２１２としては、グラスウールまたは多数の連続気泡を有する発泡樹脂等を均質に充填した多孔質層と、紙、アルミニウム、セラミックス等をハニカム状に配したハニカム構造層とが重ね合わせられた構成を挙げることができる。また、反射板２１３としては、肉厚が比較的小さいアルミニウム製のハニカム構造板または、アルミニウム製の平板、樹脂製の平板、スチール製の平板等の板材の両面に一対のアルミニウム製の平板を重ね合わせ、これらを一体化して形成した構成を挙げることができる。また、型枠２１４としては、これら３層構造を支持可能なアルミニウム製の枠体を挙げることができる。
このように、パネル本体部２１Ａは、アルミニウム等の軽金属で構成されていることが好ましいが、吸音パネル２０Ａの設置し易さ、あるいは設置後に支持ワイヤ１１で吊下げた状態での安定性等を妨げない限り、軽金属以外の素材で構成されてもよい。例えば、ステンレス等のスチール材、熱可塑性樹脂または熱硬化性樹脂等の樹脂材、もしくは、これら樹脂材と各種繊維材料とを組み合わせた繊維強化複合材料等を用いて、パネル本体部２１Ａを製造することができる。
なお、パネル本体部２１Ａに関する具体的な技術は、本出願人による先行する特許出願の公開特許公報である特開２０００−３０９９８９号公報に見出される。この公開特許公報に記載される吸音パネル２０Ａ（あるいはパネル本体部２１Ａ）に関する内容は、本明細書で参照することにより本明細書の記載の一部として援用される。
【００１１】
ワイヤ挿入枠部２２は、図１に示すように、パネル本体部２１Ａの縦方向の両側辺部に設けられ、図２（ｂ）に示すように、当該縦方向に沿って貫通するワイヤ挿入孔２２ａを有している。このワイヤ挿入孔２２ａ内に支持ワイヤ１１が挿入される。したがって、吸音パネル２０Ａは、その両側部が一対の支持ワイヤ１１によって支持されることになる。なお、図１および図２（ａ）では、吸音パネル２０Ａ内に位置するワイヤ挿入枠部２２と支持ワイヤ１１とは、いずれも破線で図示している。
ワイヤ挿入枠部２２の具体的な構成は特に限定されず、内部にワイヤ挿入孔２２ａとなる溝状あるいは管状の空間を有するものであれば、公知の様々な加工部材を用いることができる。なお、前述したように、パネル本体部２１Ａがアルミニウム等の軽金属で構成されれば、ワイヤ挿入枠部２２も同様に軽金属で構成されてもよいし、前述したスチール材、樹脂材、もしくは複合材料等で構成されてもよい。
【００１２】
ワイヤアンカー部材２３は、ワイヤ挿入孔２２ａ内の支持ワイヤ１１を固定可能とするように、ワイヤ挿入枠部２２に取り付けられるものであり、本実施の形態では、図２（ａ），（ｂ）に具体的に示すように、ボルト部材を用いている。このボルト部材は、吸音パネル２０Ａの吸音面２１ａ側からワイヤ挿入孔２２ａ内の支持ワイヤ１１に当接するように螺合されて取り付けられる。
この構成を採用することで、支持ワイヤ１１はボルト部材の先端とワイヤ挿入孔２２ａの内壁面との間で挟持される。それゆえ、ボルト部材（ワイヤアンカー部材２３）を締め付けるだけで、支持ワイヤ１１を吸音パネル２０Ａに固定することができ、ボルト部材を緩めるだけで、支持ワイヤ１１の固定状態を解除することができる。その結果、吸音パネル２０の設置、あるいは設置後の位置の再調整等を容易に行うことができる。
なお、ワイヤアンカー部材２３として用いられるボルト部材の具体的な構成は特に限定されず、支持ワイヤ１１に当接して固定可能な直径を有していれば、一般的に市販されているものを好適に用いることができる。あるいは、ワイヤアンカー部材２３としては、ボルト部材以外に、機械的に支持ワイヤ１１を挟み込むような構成、あるいは、支持ワイヤ１１を係合させるような構成等、構造物にワイヤを固定するために用いられる公知の種々の構成も好適に用いることができる。
さらに、吸音パネル２０Ａは、パネル本体部２１Ａおよびワイヤ挿入枠部２２以外の部品等を備えていてもよいし、ワイヤアンカー部材２３以外の部品が取り付けられてもよいことは言うまでもない。
【００１３】
［吸音パネルの設置構成］
次に、前記構成の吸音パネル２０Ａを複数配列して防音壁５０を設置する構成について具体的に説明する。まず、図１に示すように、吸音パネル２０Ａを支持するための支持ワイヤ１１は、上方から下方に吊下げられた状態で設置される。例えば、吸音パネル２０Ａの設置場所が工場であれば、当該工場の上方に位置する梁材５１等にワイヤ吊下げ部材１２を取り付け、このワイヤ吊下げ部材１２から支持ワイヤ１１を下方に吊下げればよい。本実施の形態では、ワイヤ吊下げ部材１２として、梁材５１の一部を挟み込む万力が用いられている。
支持ワイヤ１１の一端（上端）はワイヤ吊下げ部材１２により支持されているが、その他端（下端）は、図１に示すように、ワイヤ引張り固定部材１４により張力が付与された状態（引っ張られた状態）で床面５４に固定されている。なお、図１に示す例では、ワイヤ引張り固定部材１４は、床面５４に埋められるアンカーとその上面に設けられるリング部材とにより模式的に図示している。
また、支持ワイヤ１１に固定される複数の吸音パネル２０Ａのうち、最下部となる吸音パネル２０Ａの下端にはパネルストッパー部材１３が取り付けられている。このパネルストッパー部材１３は、最下部の吸音パネル２０Ａの下端でワイヤ挿入孔２２ａから露出する支持ワイヤ１１に取り付けられている。これにより、最下部の吸音パネル２０Ａが下方へずれて移動しないように固定支持することができるので、防音壁５０全体が下方に位置ずれすることなく安定して保持することができる。
なお、支持ワイヤ１１、ワイヤ吊下げ部材１２、パネルストッパー部材１３、ワイヤ引張り固定部材１４の具体的な構成はそれぞれ特に限定されない。支持ワイヤ１１として特別なものを用いる必要がなく、従来公知のワイヤを好適に用いることができる。また、ワイヤ吊下げ部材１２も前記万力に限定されず、支持ワイヤ１１の一端（上端）を、設置場所の上方で固定して吊り下げることができるものであれば、公知のさまざまな部材または機器等を用いることができる。パネルストッパー部材１３も同様であり、一般的なワイヤに取り付け可能な公知のストッパー部材を好適に用いることができる。ワイヤ引張り固定部材１４も同様であり、支持ワイヤ１１の他端（下端）を設置場所の下方で引っ張った状態で固定することが可能なものであれば、公知のどのような構成でも好適に用いることができる。
【００１４】
また、図１に示すように、吸音パネル２０Ａの縦方向の連結部位には、連結部位支持部材１５が取り付けられている。この連結部位支持部材１５は、図２（ａ），（ｂ）に示すように、その一端は、支持ワイヤ１１に係合する後述のパネル支持板部材３１の取付孔３１ｄまたはパネル連結板部材３２の取付孔３２ｄに取り付け可能に構成される取付端１５ａとなっている。一方、その他端は、近接する構造物の表面に当接する当接面１５ｃを有する当接端１５ｂとなっている。
それゆえ、例えば壁面５３等のように、吸音パネル２０Ａに近接して位置する構造物の表面に当接面１５ｃを当接させるだけで、連結部位の遮音面２１ｂ側すなわち防音壁５０の裏面側を好適に支持することができる。したがって、吸音パネル２０Ａを壁面５３に直接固定しなくても、複雑な構造物を用いることなく、吸音パネル２０Ａを容易に安定して設置することができる。
【００１５】
ここで、図１に示す防音壁５０においては、中央の透光パネル４０の四隅は、いずれも隣接する４枚の吸音パネル２０Ａ（または透光パネル４０）が互いに角部を突き合わせて連結する連結部位となっている。説明の便宜上、このように縦横４枚の吸音パネル２０Ａが連結している構造を、「４枚パネル連結支持構造３０Ａ」と称する。また、防音壁５０の左右両端において、上下２枚の吸音パネル２０Ａが互いに角部を突き合わせて連結する連結部位の構造を、説明の便宜上、「２枚パネル連結支持構造３０Ｂ」と称する。なお、図１および図２（ａ），（ｂ）では、４枚パネル連結支持構造３０Ａおよび２枚パネル連結支持構造３０Ｂのいずれも破線で囲んで示している。
【００１６】
吸音パネル２０Ａは、前述したように、その縦方向の両側辺部にワイヤ挿入枠部２２を備えている。それゆえ、上から吊下げられた支持ワイヤ１１をワイヤ挿入孔２２ａ（図２（ｂ）参照）に挿入した状態で、当該支持ワイヤ１１をワイヤアンカー部材２３で固定するだけで、複数枚の吸音パネル２０Ａを少なくとも縦方向に連続して配列可能とすることが可能となっている。
また、横方向についても、後述するように、パネル支持板部材３１およびパネル連結板部材３２を用いることで、連結した状態で配列することが可能となっている。それゆえ、縦横の連結部位（４枚パネル連結支持構造３０Ａ、２枚パネル連結支持構造３０ｂ）に連結部位支持部材１５等を取り付けることで、吸音パネル２０Ａを壁面５３に直接固定したり、吸音パネル２０Ａを据え付けるための骨格構造を設置したりしなくても、複数の吸音パネル２０Ａからなる防音壁５０を設置することができるので、吸音パネル２０Ａの設置を従来よりも容易とすることができる。
なお、防音壁５０を構成する９枚のパネルのうち透光パネル４０の具体的な構成は特に限定されないが、吸音パネル２０Ａと同様の構成を有していればよい。例えば、吸音パネル２０Ａのパネル本体部２１Ａの代わりに、少なくとも透光性材料で構成されている透光板部を備える構成を挙げることができる。この透光板部の具体的な構成は特に限定されず、本実施の形態では、例えば、ポリカーボネート板が用いられているが、公知の他の透光性樹脂であってもよいし、ガラス板であってもよい。
透光パネル４０は、防音壁５０を構成する複数の吸音パネル２０Ａの一つと差し替えることで、当該防音壁５０に明かり取り用の窓を形成することができる。したがって、明かり取り用の窓が必要なければ、防音壁５０を全て吸音パネル２０Ａで構成してもよいし、明かり取り用の窓が複数必要であれば、所望の箇所の吸音パネル２０Ａを透光パネル４０に差し替えればよい。
【００１７】
［吸音パネルセットの構成］
次に、前記構成の吸音パネル２０Ａを備える、本発明に係る吸音パネルセットの一例について具体的に説明する。本実施の形態に係る吸音パネルセットは、図１に示す防音壁５０を構成するためのセットであり、複数の吸音パネル２０Ａと、各吸音パネル２０Ａに設けられているワイヤアンカー部材２３と、吸音パネル２０Ａの角部同士を連結する連結部位に装着されるパネル支持板部材３１と、吸音パネル２０Ａ同士を横方向に連結する連結部位に装着されるパネル連結板部材３２と、連結部位支持部材１５と、吸音パネル２０Ａ同士の間に配置される緩衝部材１６と、を備えている。
【００１８】
パネル支持板部材３１は、図２（ａ），（ｂ）に示すように長方形の平板状であり、縦方向に隣接する吸音パネル２０Ａのワイヤ挿入枠部２２同士の間に挿入することで、これら吸音パネル２０Ａの間に装着される。ここで、図２（ｂ）の上段は、パネル支持板部材３１およびパネル連結板部材３２の構成例を示す平面図であり、下段は、前述したように横方向に隣接する吸音パネル２０Ａの連結部位を示す断面図であり、下段における向かって右下には、連結部位を吸音面２１ａから見た状態である部分正面図が示されている。そして、上段の平面図、下段の断面図および部分正面図は、それぞれの対応関係を示すために互いを二点鎖線でつないで表示している。
図２（ｂ）の上段平面図に示すように、パネル支持板部材３１は、パネル間介在部３１ａとパネル露出部３１ｂとに少なくとも区分されている。パネル間介在部３１ａは、吸音パネル２０Ａの間に装着された状態で当該吸音パネル２０Ａの間に位置する部位であり、パネル露出部３１ｂは、装着された状態で吸音パネル２０Ａの間から露出する部位である。なお、図２（ｂ）の上段平面図では、パネル間介在部３１ａとパネル露出部３１ｂとの境界線を点線で図示している。また、後述するが、パネル支持板部材３１の寸法は、パネル連結板部材３２の寸法に合わせたものとなっている。
パネル間介在部３１ａには、支持ワイヤ１１を挿入可能とするＵ字状切り込み部３２ｃが形成されている。Ｕ字状切り込み部３２ｃは、パネル支持板部材３１の長手方向に直交するように（本実施の形態では左右方向へ）、一方の長辺から中央部まで切り込むように、短辺の長さの略半分程度の長さで形成されている。また、パネル露出部３１ｂには、その短辺方向の略中央部に取付孔３１ｄが設けられている。
この取付孔３１ｄは、パネル支持板部材３１にパネル連結板部材３２を固定する固定部材（ボルト部材）を挿入するために用いられるとともに、前述した連結部位支持部材１５を取り付けるためにも用いられる。それゆえ、例えば、２枚パネル連結支持構造３０Ｂでは、パネル支持板部材３１の取付孔３１ｄと、連結部位支持部材１５の取付端１５ａに設けられる図示しない取付孔と、を重ね合わせて、取付ボルト３０１を挿入して取付ナット３０２により締結することにより、パネル支持板部材３１に連結部位支持部材１５が取り付けられる。
ここで、パネル支持板部材３１は、吸音パネル２０Ａのワイヤ挿入枠部２２の間に挿入し、さらにＵ字状切り込み部３２ｃの奥まで支持ワイヤ１１を挿入させる。このとき、図２（ｂ）の下段断面図に示すように、パネル露出部３１ｂを吸音パネル２０Ａの遮音面２１ｂ（裏面）側に露出させる。このような挿入のみで、パネル支持板部材３１は、吸音パネル２０Ａの間で相対的に安定した状態で装着することができる。
具体的には、下側の吸音パネル２０Ａは、上側の吸音パネル２０Ａの自重により押さえ付けられることになる。そこで、これら吸音パネル２０Ａの間にパネル支持板部材３１を挟みこんでＵ字状切り込み部３１ｃに支持ワイヤ１１を通す（あるいは係合する）だけで、当該パネル支持板部材３１を安定して装着することができる。
それゆえ、本発明によれば、先に吸音パネル２０Ａを少なくとも縦方向に連結して設置してから、パネル支持板部材３１を容易に取り付けることが可能となる。そして、パネル支持板部材３１には、連結部位支持部材１５等を後から容易に取り付けることができる。それゆえ、設置後の吸音パネル２０Ａの拡張性を向上することができる。
【００１９】
次に、パネル連結板部材３２は、図２（ｂ）の上段平面図に示すように、パネル支持板部材３１よりも大きな長方形の平板状であり、本実施の形態では、パネル支持板部材３１と同様に、装着状態で吸音パネル２０Ａの間に位置するパネル間介在部３２ａと、吸音パネル２０Ａの間から露出する部位であるパネル露出部３２ｂと、に少なくとも区分されている。パネル間介在部３２ａにもＵ字状切り込み部３２ｃが設けられており、パネル露出部３２ｂには取付孔３３ｄが３つ設けられている。
図２（ｂ）に示す例では、パネル連結板部材３２の一方の長辺側（パネル間介在部３２ａ側）に一対のＵ字状切り込み部３２ｃが設けられている。このＵ字状切り込み部３２ｃは、一方の長辺から他方の長辺に向かって（本実施の形態では前後方向へ）平行に延伸しており、その長さは、パネル間介在部３２ａの幅の約半分程度である。一対のＵ字状切り込み部３２ｃの位置は、パネル連結板部材３２の端部に近接した位置となっている。
また、パネル連結板部材３２の他方の長辺（パネル露出部３２ｂ側の長辺）側には、当該長辺に沿って３つの取付孔３２ｄが一列に並んで設けられている。このうち中央の取付孔３２ｄは、パネル連結板部材３２の長手方向の中央部に位置している。また、両端の２つの取付孔３２ｄは、それぞれＵ字状切り込み部３２ｃに対向して位置している。さらに、図２（ａ），（ｂ）に示すように、パネル連結板部材３２のパネル露出部３２ｂ側の長辺は、一方の面に向かって折れ曲がって構成される支持板ストッパー部３２ｅとなっている。
さらに、図２（ｂ）の上段平面図に示すように、パネル連結板部材３２の短辺の寸法は、パネル支持板部材３１の長辺の寸法に略一致するようになっている。また、パネル連結板部材３２のパネル間介在部３２ａの幅とパネル支持板部材３１のパネル間介在部３１ａの幅とも略一致し、パネル露出部３２ｂの幅とパネル露出部３１ｂの幅も略一致している。加えて、パネル間介在部３２ａに設けられるＵ字状切り込み部３２ｃ（本実施の形態では前後方向に延伸）は、その先端が、パネル間介在部３１ａに設けられるＵ字状切り込み部３１ｃの延伸方向（本実施の形態では左右方向）に重なるような長さとなっている。
このパネル連結板部材３２は、横方向に隣接する一対のパネル支持板部材３１の間であり、かつ、縦方向に隣接する吸音パネル２０Ａの間となる位置、すなわち４枚パネル連結支持構造３０Ａに対応する位置に単独で挿入される。挿入されたパネル連結板部材３２は、当該パネル連結板部材３２の両端の上側に、一対のパネル支持板部材３１がそれぞれ重なるように位置することになる。また、パネル連結板部材３２の一対のＵ字状切り込み部３２ｃは、前述したパネル支持板部材３１と同様に、隣接する吸音パネル２０Ａの支持ワイヤ１１それぞれが挿入される。
【００２０】
この挿入状態では、図２（ｂ）の下段断面図において向かって左側に示す吸音パネル２０Ａの右方の支持ワイヤ１１には、一方のパネル支持板部材３１のＵ字状切り込み部３１ｃが係合しているとともに、パネル連結板部材３２の一方のＵ字状切り込み部３２ｃが係合している。また、向かって右側に示す吸音パネル２０Ａの左方の支持ワイヤ１１には、他方のパネル支持板部材３１のＵ字状切り込み部３１ｃが係合しているとともに、パネル連結板部材３２の他方のＵ字状切り込み部３２ｃが係合している。
すなわち、左右方向へ延伸するＵ字状切り込み部３１ｃと前後方向へ延伸するＵ字状切り込み部３２ｃとが組み合わせられることにより、上下方向にのみ開口する貫通孔が形成され、そこに支持ワイヤ１１が通るようになっている。なお、一対のパネル支持板部材３１は、Ｕ字状切り込み部３２ｃが互いに対向するように、４枚パネル連結支持構造３０Ａに挿入されており、さらに、パネル連結板部材３２を後から挿入すれば、パネル露出部３２ｂの長辺に設けられている支持板ストッパー部３２ｅが、先に挿入されたパネル支持板部材３１の外辺に当接して位置合わせされることになる。
このような指示板ストッパー部３２ｅによる位置合わせでは、Ｕ字状切り込み部３１ｃおよびＵ字状切り込み部３２ｃを適切な位置関係で組み合わせられるだけでなく、パネル連結板部材３２のパネル露出部３２ｂと、各パネル支持板部材３１のパネル露出部３１ｂとが、互いの取付孔３２ｄ，３１ｄの位置を略一致させるよう重ね合わせられることになる。重なった取付孔３２ｄ，３１ｄには、取付ボルト３０１が挿入されて取付ナット３０２により締結される。これにより、横方向に隣接する一対のパネル支持板部材３１をパネル連結板部材３２により互いに接続することができ、その結果、横方向に隣接する吸音パネル２０Ａ同士を連結することができる。
また、パネル連結板部材３２を４枚の吸音パネル２０Ａの間に装着した状態では、パネル露出部３２ｂの中央に位置する取付孔３２ｄは、図２（ｂ）の下段部分正面図に示すように、吸音パネル２０Ａの側辺同士の連結位置に略一致する。そして、図２（ａ），（ｂ）に示すように、この取付孔３２ｄと連結部位支持部材１５の取付端１５ａに設けられる図示しない取付孔とを重ね合わせて、取付ボルト３０１を挿入して取付ナット３０２により締結することにより、パネル連結板部材３２に連結部位支持部材１５が取り付けられる。
パネル連結板部材３２に取り付けられた連結部位支持部材１５は、吸音パネル２０Ａ同士の側辺同士の連結位置の裏面を支持することになる。図１に示す防音壁５０では、４枚パネル連結支持構造３０Ａの全てを裏面で支持することができる。それゆえ、縦横に隣接する４枚の吸音パネル２０Ａの連結部位を裏面から好適に支持することができ、連結部位の振れ等をより一層有効に抑制することができる。
さらに、例えば先に縦方向のみ吸音パネル２０Ａを複数枚配列して、２枚パネル連結支持構造３０Ｂに対応する連結部位にパネル支持板部材３１を装着した後であっても、その横に、同様に縦方向の配列した複数枚の吸音パネル２０Ａを隣接させ、パネル連結板部材３２を４枚パネル連結支持構造３０Ａに対応する連結部位に後から装着することができる。それゆえ、大きな面積の防音壁５０を設置する場合であっても、１列ずつ順次設置していくことができるので、吸音パネル２０Ａの設置をより容易にできるとともに、設置後の吸音パネル２０Ａの拡張性をより一層向上することができる。
なお、本実施の形態では、縦方向に隣接する吸音パネル２０Ａの間に少なくともパネル支持板部材３１が挿入されるので、これら吸音パネル２０Ａの間に、パネル支持板部材３１の厚み、または、パネル支持板部材３１およびパネル連結板部材３２の厚み分か、それ以上の隙間が生じる。そこで、図２（ａ），（ｂ）に示すように、吸音パネル２０Ａ同士の連結部位に緩衝部材１６を挿入することが好ましい。この緩衝部材１６は、ゴム等の弾性材料により形成されている角柱状であればよく、その太さは想定される隙間よりも少し大きくなる程度であればよい。これにより、吸音パネル２０Ａ同士のつなぎ目を緩衝部材１６で埋めることができるので、図１に示す防音壁５０の吸音面２１ａの平坦性を向上することができる。
【００２１】
以上のように、本実施の形態によれば、吸音パネル２０Ａの縦方向の両端に一対の支持ワイヤ１１を挿入して固定することにより、少なくとも縦方向に吸音パネル２０Ａを容易に設置することができる。しかも、吸音パネル２０Ａの間の連結部位にパネル支持板部材３１を後から容易に装着できるので、このパネル支持板部材３１のパネル露出部３１ｂに連結部位支持部材１５等を取り付ければ、連結部位の振れ等を有効に抑制することができる。特に、吸音パネル２０Ａが、音吸収板２１１、音波干渉空気層２１２、反射板２１３の３層構造であり、音吸収板２１１を表面側に向けて進退動自由に付勢支持した構成のパネル本体部２１Ａを備えていれば、軽量かつ高性能の吸音パネル２０Ａをさまざまな場所に容易かつ安定的に設置することができる。
加えて、隣接する４枚の吸音パネル２０Ａの連結部位に、パネル連結板部材３２を挿入し、これにパネル支持板部材３１を固定すれば、横方向に隣接する吸音パネル２０Ａを容易かつ適切に連結固定することができる。これにより、連結部位の振れ等を有効に抑制できるだけでなく、吸音パネル２０Ａの設置の拡張性を向上することができる。また、パネル支持板部材３１およびパネル連結板部材３２は、いずれも寸法が合わせられ、かつ、パネル連結板部材３２には支持板ストッパー部３２ｅが設けられているので、これらを連結部位に挿入するだけで容易に位置合わせすることができる。それゆえ、拡張時の設置性も向上することができる。
【００２２】
なお、本実施の形態では、吸音パネルセットの一例として、吸音パネル２０Ａ、ワイヤアンカー部材２３、パネル支持板部材３１、パネル連結板部材３２、連結部位支持部材１５、および緩衝部材１６を備える構成を挙げて説明しているが、本発明はこれに限定されず、少なくとも、吸音パネル２０Ａ、ワイヤアンカー部材２３、およびパネル支持板部材３１を備える構成であればよく、好ましくは、吸音パネル２０Ａ、ワイヤアンカー部材２３、パネル支持板部材３１およびパネル連結板部材３２を備える構成であればよい。
それゆえ、吸音パネルセットは、吸音パネル２０Ａ、ワイヤアンカー部材２３、パネル支持板部材３１、パネル連結板部材３２等だけで構成されてもよいし、さらに透光パネル４０、連結部位支持部材１５および緩衝部材１６の少なくともいずれかが含まれてもよいし、さらに支持ワイヤ１１、ワイヤ吊下げ部材１２、パネルストッパー部材１３、ワイヤ引張り固定部材１４の少なくともいずれかが含まれてもよいし、本発明の技術分野において公知の他の構造体または部材等が含まれてもよい。
また、パネル支持板部材３１およびパネル連結板部材３２の材質、寸法等の諸構成は特に限定されない。例えば材質については、吸音パネル２０Ａ（パネル本体部２１Ａ）がアルミニウム等の軽金属で構成されれば、同様に軽金属で構成されてもよいし、前述したスチール材、樹脂材、もしくは複合材料等で構成されてもよい。
【００２３】
（実施の形態２）
本実施の形態２では、両面が吸音面となる吸音パネルを用い、かつ、連結部位支持部材１５を用いずに４枚パネル連結支持構造を構成する点が、前記実施の形態１とは異なっている。本発明の実施の形態２に係る吸音パネルおよび吸音パネルセットについて図３および図４（ａ），（ｂ）を参照して具体的に説明する。なお、図３は、図１における向かって左側の縦断面図に対応する縦断面図である。また、図４（ａ）は図２（ａ）に対応する拡大縦断面図であり、図４（ｂ）は図２（ｂ）に対応する拡大横断面図である。なお、図４（ｂ）の下段断面図には、図２（ｂ）の下段部分正面図に対応する図面は含まれていない。
本実施の形態では、前記実施の形態１と同様に９枚のパネルにより単一の防音壁５０を構成しているが、当該防音壁５０は、図３に示すように、支持ワイヤ１１で支持されているだけでなく、上側の４枚パネル連結支持構造３０Ｃでは、両吸音面２１ａ側において、一対の副支持ワイヤ１７によっても支持されている。なお、それぞれの副支持ワイヤ１７は、支持ワイヤ１１と同様に、その一端（上端）がワイヤ吊下げ部材１２（万力）によって梁材５１に固定されている。
【００２４】
防音壁５０を構成する吸音パネル２０Ｂは、図４（ａ）に示すように、両面が吸音面２１ａとなっている構成を有している。具体的には、吸音パネル２０Ｂは、反射板２１３がパネル本体部２１Ｂの厚み方向の中央に位置し、音吸収板２１１が、パネル本体部２１ｂの両面に位置しているが、それ以外は前記実施の形態１における吸音パネル２０Ａと同様の構成を有している。
さらに、吸音パネル２０Ｂ同士を連結する連結部位には、図４（ｂ）の上段平面図に示すように、両吸音面２１ａ側に露出するパネル露出部３２ｂを有するパネル支持板部材３３と、互いに同じ形状を有する一対のパネル連結板部材３４とが挿入されて装着される。
具体的には、パネル支持板部材３３は、前記実施の形態１のパネル支持板部材３１と同様に、略長方形の平板状であり、パネル間介在部３３ａとパネル露出部３３ｂとに区分され、パネル間介在部３３ａにＵ字状切り込み部３３ｃが設けられ、パネル露出部３３ｂに取付孔３３ｄが設けられているが、その中央部がパネル間介在部３３ａとなっており、その両端部がパネル露出部３３ｂとなっている。それゆえ、図４（ｂ）の下段断面図に示すように、吸音パネル２０Ｂの間に挿入すれば、両端部のパネル露出部３３ｂが、両吸音面２１ａからそれぞれ露出することになる。
ここで、パネル支持板部材３３のＵ字状切り込み部３３ｃは、前記実施の形態１のパネル支持板部材３１と同様に、その長手方向に直交するように延伸しているが、その位置は、パネル支持板部材３３の長手方向の中間となっている。また、パネル露出部３３ｂの取付孔３３ｄの位置は、Ｕ字状切り込み部３３ｃから見て等距離となっている。したがって、図４（ｂ）の上段平面図に示すように、パネル支持板部材３３は、取付孔３３ｄの位置も含め、Ｕ字状切り込み部３３ｃを基準として線対称の形状となっている。
このような構成のパネル支持板部材３３を、２枚パネル連結支持構造３０Ｂに対応する連結部位に挿入すれば、パネル露出部３３ｂが両吸音面２１ａに露出する以外は、前記実施の形態１で説明したパネル支持板部材３１と同様に装着することができる。
【００２５】
次に、パネル連結板部材３４も、前記実施の形態１のパネル連結板部材３２と同様に、パネル間介在部３４ａとパネル露出部３４ｂとに区分され、パネル露出部３４ｂに取付孔３４ｄおよび支持板ストッパー部３４ｅが設けられているが、パネル間介在部３４ａには、Ｕ字状切り込み部の代わりに支持ワイヤ１１の直径に応じた半円切り込み部３４ｃが設けられている。
パネル連結板部材３４は、図４（ｂ）の下段断面図に示すように、縦横４枚の吸音パネルが隣接する連結位置に、当該吸音パネル２０Ｂの両面からそれぞれ挿入され、２枚が互いに対向した状態で当該吸音パネル２０Ｂの間に装着される。この状態では、一対のパネル連結板部材３４のパネル間介在部３４ａに設けられている半円切り込み部３４ｃ同士が対向して位置合わせされ、実質的に一つの円形孔を形成し、支持ワイヤ１１は、この円形孔内に位置することになる。
さらに、図４（ｂ）に示すように、パネル連結板部材３４の短辺の寸法は、パネル支持板部材３３の長辺の寸法に半分に略一致するようになっている。また、パネル連結板部材３４のパネル間介在部３４ａの幅は、パネル支持板部材３３のパネル間介在部３３ａの幅の半分に略一致する。一方、パネル連結板部材３４のパネル露出部３４ｂの幅とパネル支持板部材３３のパネル露出部３１ｂの幅とは略一致している。このような寸法関係では、パネル支持板部材３３のパネル間介在部３３ａに設けられるＵ字状切り込み部３３ｃ（本実施の形態では左右方向に延伸）は、その先端が、パネル連結板部材３４のパネル間介在部３４ａに設けられる半円切り込み部３４ｃの形成位置に重なることになる。
また、それぞれのパネル連結板部材３４のパネル露出部３４ｂには、３つの取付孔３４ｄが設けられている。両端の取付孔３４ｄは、パネル支持板部材３３の固定に用いられ、中央の取付孔３４ｄは、図４（ａ）に示すように、副支持ワイヤ１７の他端（下端）を支持する。なお、この副支持ワイヤ１７の下端の固定に用いられる固定部材は、取付ボルト３０１および取付ナット３０２でよいが、他の固定部材を用いてもよい。
【００２６】
このような構成のパネル連結板部材３４をパネル支持板部材３３とともに、４枚パネル連結支持構造３０Ｃに対応する連結部位に重ねて挿入すれば、左右方向へ延伸するＵ字状切り込み部３３ｃと半円切り込み部３４ｃ同士が対向してなる一つの円形孔とが組合せられることにより、上下方向にのみ開口する貫通孔が形成され、そこに支持ワイヤ１１が通るようになっている。
しかも、前記実施の形態１と同様に、一対のパネル連結板部材３４を後から挿入すれば、それぞれのパネル露出部３４ｂの長辺に設けられている支持板ストッパー部３４ｅが、先に挿入されたパネル支持板部材３３の外辺に当接して位置合わせされる。これにより、Ｕ字状切り込み部３３ｃおよび各半円切り込み部３４ｃを適切な位置関係で組み合わせられるだけでなく、各パネル連結板部材３４のパネル露出部３４ｂと、各パネル支持板部材３３のパネル露出部３３ｂとが、互いの取付孔３４ｄ，３３ｄの位置を略一致させるよう重ね合わせることができる。
このように、本実施の形態では、両面が吸音面２１ａとなる防音壁５０を構成することができる。それゆえ、例えば、上方から支持ワイヤ１１および副支持ワイヤ１７を吊下げて吸音パネル２０Ｂにより防音壁５０を形成し、この防音壁５０により工場内を複数の区画に区分する等の用途に有効に用いることができる。
また、パネル支持板部材３３およびパネル連結板部材３４は、前記実施の形態１と同様の構成を有するため、前記実施の形態１と同様の作用効果を得ることができる。加えて、それぞれのパネル露出部３３ｂ，３４ｂが両面に露出しているので、副支持ワイヤ１７ではなく、前記実施の形態１と同様に連結部位支持部材１５等を取り付ければ、天井または屋根の柱等から副支持ワイヤ１７を張って連結部位を支持するだけでなく、連結部位を柱等で支持することも可能となる。さらに４枚パネル連結支持構造３０Ｃは両面から支持されるので、連結部位の振れ等を有効に抑制することができる。
なお、パネル連結板部材３２または３４の具体的構成は、前記実施の形態１または２で説明したような、パネル間介在部３２ａまたは３４ａに限定されず、横方向に隣接する一対のパネル支持板部材３１を互いに接続することによって、横方向に隣接する吸音パネル２０Ａまたは２０Ｂを連結できる構成であれば、他のどのような構成であっても好適に用いることができる。具体的には、例えば、パネル露出部３４ｂのみからなる構成であってもよい。この場合、パネル連結板部材を吸音パネル２０Ａまたは２０Ｂの間に挿入しなくても、一対のパネル支持板部材３１のパネル露出部３１ｂ同士を連結するだけでよい。ただし、連結状態を安定させるためには、本実施の形態のように、両面でパネル露出部３１ｂ同士を接続する場合に適用することが好ましい。
【００２７】
（実施の形態３）
前記実施の形態１および２では、吸音パネル２０Ａまたは２０Ｂは、支持ワイヤ１１により複数枚配列して防音壁５０として用いていたが、本発明に係る吸音パネル２０Ａまたは２０Ｂは、１枚のみを他の構造物に取り付けることもできる。また、本発明に係る吸音パネルセットは、１枚のみを取り付けるための部材等を備えていてもよい。この点について、図５（ａ）〜（ｃ）を参照して具体的に説明する。
図５（ａ）に示すように、本実施の形態に係る吸音パネル２０Ａは、壁用設置金具３５により１枚のみ壁面５３に取り付けられてもよい。この壁用設置金具３５は、Ｌ字型の断面を有する折れ曲がった板状部材であり、ほぼ同程度の大きさを有する２枚の板部が直角につながった形状を有している。一方の板部は吸音パネル２０Ａの上端または下端に金具取付用ビス３０３で固定される。そして他方の板部は、壁設置用ボルト３０４により壁面５３に直接設置される。
あるいは、図５（ｂ）に示すように、本実施の形態に係る吸音パネル２０Ａは、フェンス用設置金具３６により、フェンス５５に設置することもできる。このフェンス用設置金具３６もＬ字型の断面を有する折れ曲がった板状部材であるが、壁用設置金具３５とは異なり、一方の端部が折れ曲がったストッパー部となっており、他の部分はフェンス５５の端面および吸音パネル２０Ａの端面に当接する当接部となっている。
例えば、フェンス５５の上端面と吸音パネル２０Ａの上端面とを略同一面となるように位置合わせし、これにフェンス用設置金具３６の当接部を重ねる。このとき、端部のストッパー部は、フェンス５５の背面側に係合するように下に向いている。そして、当接部の外側から金具取付用ビス３０３により吸音パネル２０Ａの上端面にフェンス用設置金具３６を取り付ければ、フェンス５５の上部にフェンス用設置金具３６を介して吸音パネル２０Ａを引っ掛けるようにして設置することができる。なお、図５（ｂ）に示すように、吸音パネル２０Ａの下端面にも同様にフェンス用設置金具３６を取り付けてフェンス５５に係合させてもよい。
【００２８】
このように、本発明に係る吸音パネル２０Ａまたは２０Ｂは、支持ワイヤ１１で支持可能な程度に軽量で設置性に優れているので、支持ワイヤ１１を用いることなく、壁用設置金具３５またはフェンス用設置金具３６等のパネル設置金具を用いて、壁面５３またはフェンス５５等の垂直面に簡単に設置することができる。なお、吸音パネル２０Ａまたは２０Ｂにおいて、これらパネル設置金具を取り付ける端面の位置は、ワイヤ挿入枠部２２の端面となる箇所であればよい。
したがって、本発明に係る吸音パネルセットは、支持ワイヤ１１により吸音パネル２０Ａまたは２０Ｂを支持するための部材だけでなく、単独で垂直面に取り付けるための部材を含んでいてもよい。
さらに、本発明には、他のさまざまな変形例が含まれる。例えば、図５（ｃ）に示すように、ワイヤ吊下げ部材１８として、前記実施の形態１の万力（ワイヤ吊下げ部材１２）ではない単管キャッチを用いることもできる。この構成であれば、配管等の管材５２に支持ワイヤ１１あるいは副支持ワイヤ１７の上端を取り付けることができる。
また、本発明に係る吸音パネルセットは、前記実施の形態１で説明したワイヤ引張り固定部材１４を備えていなくてもよい。例えば、図示しないが、吸音パネル２０Ａを支持する支持ワイヤ１１の下端はパネルストッパー部材１３で固定し、最下部で横方向に隣接する吸音パネル２０Ａ同士を連結するパネル連結板部材３２または３４に、連結部位支持部材１５を取り付けるだけでもよい。
さらに、本発明に係る吸音パネル２０Ａまたは２０Ｂは、前記実施の形態１また２、あるいは本実施の形態の図５（ａ），（ｂ）に示すように、垂直方向に設置するだけでなく、他の様々な設置態様にも適用することができる。例えば、吸音パネル２０Ａまたは２０Ｂを平板形状とせずに、湾曲板状に形成することもできる。この場合、例えば、トンネルの内壁に支持ワイヤ１１を張り巡らせ、この支持ワイヤ１１を用いてトンネルの内壁に必要に応じて拡張的に吸音パネル２０Ａまたは２０Ｂを順次設置することもできる。
なお、本発明は前記実施の形態の記載に限定されるものではなく、特許請求の範囲に示した範囲内で種々の変更が可能であり、異なる実施の形態や複数の変形例にそれぞれ開示された技術的手段を適宜組み合わせて得られる実施の形態についても本発明の技術的範囲に含まれる。
【産業上の利用可能性】
【００２９】
本発明は、吸音パネルの分野だけでなく、吸音パネルを設置して利用する様々な分野に広く好適に用いることができる。
【符号の説明】
【００３０】
１１    支持ワイヤ
１２    ワイヤ吊下げ部材
１３    パネルストッパー部材
１４    ワイヤ引張り固定部材
１５    連結部位支持部材
２０Ａ，２０Ｂ    吸音パネル
２１Ａ，２１Ｂ    パネル本体部
３０Ａ，３０Ｃ    ４枚パネル連結支持構造
３０Ｂ    ２枚パネル連結支持構造
３１，３３    パネル支持板部材
３２，３４    パネル連結板部材
３２ｅ，３４ｅ    支持板ストッパー部
４０    透光パネル
５０    防音壁
【図１】
0005858715.tif 000002
【図２】
0005858715.tif 000003
【図３】
0005858715.tif 000004
【図４】
0005858715.tif 000005
【図５】
0005858715.tif 000006